(57)【要約】      （修正有） 【課題】側面から生けた切り花を見ても、垂直に生けた切り花を斜め上方から見たように美しく飾るための、切り花を生けるための容器を開発することである。また、切り花を作業効率よく飾るための容器を開発することである。【解決手段】切り花４を生けるための容器１において、切り花を挿入する円筒状切り花保持具３を横長にかつ複数列に、並列に並べること、円筒状切り花保持具は斜め上方を向いていること、円筒状切り花保持具の口は漏斗状であること、円筒状切り花保持具の列が２〜５列であることを特徴とする。また円筒状切り花保持具の口の傾きが水面から６０〜８５度であること、円筒状切り花保持具の一列あたり、４乃至１０本の円筒状切り花保持具が立てられていることが好ましい。【選択図】図１
0003102569.tif 000002
【実用新案登録請求の範囲】
【請求項１】
切り花を生けるための容器において、
切り花を挿入する円筒状切り花保持具を横方向にかつ複数列に、並列に並べること、
円筒状切り花保持具の口は斜め手前上方を向いていること
を特徴とする切り花を生けるための容器。
【請求項２】
請求項１において、切り花を挿入する円筒状切り花保持具の口は、切り花の挿入を容易にするため漏斗状であることを特徴とする切り花を生けるための容器。
【請求項３】
請求項１、２の切り花を生けるための容器において、
円筒状切り花保持具の列が２〜５列であることを特徴とする切り花を生けるための容器。
【請求項４】
請求項１、２、３の切り花を生けるための容器において、
円筒状切り花保持具の口の傾きが水面から６０〜８５度であることを特徴とする切り花を生けるための容器。
【請求項５】
請求項１、２、３において、切り花を挿入する円筒状切り花保持具の漏斗状口の開口角度は、５〜３０度の角度であることを特徴とする切り花を生けるため容器。
【請求項６】
請求項１、２、３において、円筒状切り花保持具の一列あたり、４乃至１０本の円筒状切り花保持具が立てられていることを特徴とする切り花を生けるための容器。
【考案の詳細な説明】
【技術分野】
【０００１】
本考案は、葬祭などにおいて使用される切り花を生ける容器に関する。 
【背景技術】
【０００２】
従来、葬祭などにおいて、菊などの切り花で葬祭の行われる部屋や祭壇が飾られる。この時、切り花を、段差を設けて生け、離れてみた時、例えば、遺影を敬うべく花で取り囲むなど、部屋の壁面全体が花で飾られた如くにすることが行われている。
【０００３】
この目的のため、切り花の茎の長さに関しては、茎の長さの短いものは、前面に、茎の長いものは後ろに生けるなどの方法がとられているが、茎の長さを各々必要な長さに手作業で切り揃えることは手間がかかる欠点がある。また別の方法として、切り花を幾つかの容器に分けて生け、容器を階段状の棚に置くなどの方法がとられている。
【考案の開示】
【考案が解決しようとする課題】
【０００４】
花は、一般に、斜め上方から見るとき最も美しい。花は、蜂などを惹きつけるため進化してきている。蜂などは一般に斜め上方から見るため、この角度からみるとき最も魅力的になるのである。切り花を部屋の壁面に飾る場合は、花を垂直に生けたのでは花を側面から見ることになり、切り花で飾る価値が減少する。そこで本考案の目的は、生けた切り花を側面から見ても、垂直に生けた切り花を斜め上方から見たように飾るための、切り花の生けるための容器を開発することである。
また本考案の別の目的は、切り花を飾る作業を効率的に行うことの出来る容器を開発することである。
【０００５】
従来、このような切り花を階段状に飾る方法として、生花店などの花の陳列法として、階段状に容器を並べる方法が提案されている（特許文献１）。しかし、個々の切り花を取り出しやすくするため、個々の切り花の生け方や、容器には、花を斜めに生けるようにするための特別な工夫がなされていない。
【０００６】
また切り花の保存方法として、切り花を生ける容器を階段状に設けるなどの方法がとられているが（特許文献２）、この場合も個々の切り花の生け方に、同様の斜めに生けようとの工夫がとられていない。
【０００７】
【特許文献１】特開２００１−７０１１９号公報
【特許文献２】特開平１０−１５０８５３号公報
【課題を解決するための手段】
【０００８】
そこで、本考案の目的は、切り花を壁面全体にわたって花を前方に傾斜した状態に生けると同時に、その作業を効率的かつ整然と遺影を飾ることができる容器を開発することであり、別の目的は、作業効率よく切り花を飾るための容器を開発することである。本考案者は、上記目的を達成するため鋭意研究した結果、本考案に到達したのである。
【０００９】
即ち本考案は、 
（１）切り花を生けるための容器において、
切り花を挿入する円筒状切り花保持具を横方向にかつ複数列に、並列に並べること、
円筒状切り花保持具の口は斜め手前上方を向いていること
を特徴とする、
（２）において、切り花を挿入する円筒状切り花保持具の口は、切り花の挿入を容易にするため漏斗状であることを特徴とする、
（３）  （１）、（２）の切り花を生けるための容器において、
円筒状切り花保持具の列が２〜５列であることを特徴とする、
（４）  （１）、（２）、（３）の切り花を生けるための容器において、
円筒状切り花保持具の口の傾きが水面から６０〜８５度であることを特徴とする、
（５）  （１）、（２）、（３）において、切り花を挿入する円筒状切り花保持具の漏斗状口の開口角度が、５〜３０度の角度であることを特徴とする、
（６）  （１）、（２）、（３）において、円筒状切り花保持具の一列あたり、４乃至１０本の円筒状切り花保持具が立てられていることを特徴とする。
【００１０】
本考案で用いる容器としては、水を入れることができる容器であればよく、従来公知の形態の容器を含む。例えば、材質としては、ポリオレフィンなどのプラスチック製容器をあげることができる。
そして、その大きさとしては、幅３０〜４５ｃｍ、奥行き２２〜３０ｃｍ、深さ２２〜３０ｃｍ程度の容器を使用することができる。
【００１１】
本考案で使用する切り花を挿入する円筒状切り花保持具としては、直径１．５〜３．５ｃｍ程度のプラスチック製円筒状切り花保持具を使用することができる。そして、切り花の挿入が容易なように口の部分がやや広がっている漏斗状であることが好ましい。
【００１２】
本考案において、円筒状切り花保持具は、斜め手前上方に傾いている必要がある。その傾きは、水平面から６０〜８５度の傾きであることが好ましい。このように傾いていることにより、切り花を壁面に生けた時、花を斜め正面から見ることが可能となるからである。８５度より大きいと花を横から見ることになり好ましくなく、６５度より小さいと花を円筒状切り花保持具に挿入したときの安定性が劣るからである。
【００１３】
また、本考案の容器は水を入れて使用する。水を入れる量は、総ての切り花の最下端が浸入できる量とし、概ね容器の容積の１／２から１／３程度で充分である。
【００１４】
本考案の容器には、使用の際、円筒状切り花保持具の存在を隠すため、ブラシ状の形態を呈するプラスチック製樹木で覆うこともできる。
【００１５】
本考案において、円筒状切り花保持具は、切り花を飾っている壁面に対し並列に並べられる。円筒状切り花保持具の列は、２列〜５列程度で充分である。この範囲で切り花が密に充填されるからである。また一列に４〜１０本の円筒状切り花保持具が立てられる。この範囲で切り花が密に充填されるからである。
【００１６】
本考案で用いる円筒状切り花保持具やプラスチック樹木を固定するため、プラスチックで覆った針金などで枠組みが形成されることが好ましい。
【考案を実施するための最良の形態】
【００１７】
以下に、本考案の具体的な構成に付いて、図面を用いて説明する。図１は、本考案の切り花を生けた容器の断面図である。
まず、幅３８ｃｍ、奥行き２６ｃｍ、深さ２０ｃｍのプラスチック容器１を用意する。これに、約１／３の容量の水２をいれる。切り花４を生けるための円筒状切り花保持具３を切り花を飾ってある部屋の壁面に並列に、三列にわたって並べ、切り花保持具固定用針金６で円筒状切り花保持具３を固定する。一列あたりの円筒状切り花保持具３の個数は５個である。壁に最も近くの列の円筒状切り花保持具３は、ほぼ垂直で先の部分のみ曲げられている。
切り花を飾っている部屋の壁面側から数えて二列目の円筒状切り花保持具３は、水面に対して７５度程度であり、三列目の円筒状切り花保持具３も水面に対して７５度程度に曲げられている。切り花４は円筒状切り花保持具３に挿入して生ける。切り花４に付属する葉７などのため、切り花４が下に落下することはない。
切り花４を挿入する円筒状切り花保持具３は傾いているため、側面から見たとき、花が垂直に生えている場合に斜め上方から見たときと同じ角度となり効果的に飾ることが可能となる。そして円筒状切り花保持具を隠すためブラシ状の形態を呈するプラスチック製樹木９も、同様に切り花保持具固定用針金６で固定する。図２は、本考案の切り花を生けた容器の斜視図である。切り花４を生けるための円筒状切り花保持具３は、三列であり、一列あたりの円筒状切り花保持具３の個数は５個である。
図３は、本考案の切り花を生けた容器を複数並べたときの断面図である。切り花を壁面全体に飾るためには、このように切り花を生けた容器を並列に並べると同時に、階段状に並べた棚に容器を置くことが可能である。図３に示す様に、切り花４は壁面に平行でなく、傾いており、壁面に対し垂直方向である横方向から眺めても、斜め上方から眺めると同様な角度にすることが可能となる。
図４は、切り花を挿入する円筒状切り花保持具３の部分断面図である。円筒状切り花保持具３の傾きＡが水面から６０〜８５度、円筒状切り花保持具の漏斗状口の開口角度Ｂは、５〜３０度である。
【００１８】
以上の説明によって明らかな様に、本考案による切り花を生けるための容器は、以下に列挙した如き、実用上の好ましい効果を奏する。
（ａ）  切り花が段を形成するばかりでなく、斜め前方に傾斜状態になるように、壁全体の花が最も美しい姿勢に支持されている。このため、花の上面が観察しやすくなり、見る人に話しかけてくるような感じで、花の美しさが数倍も引き立つようにすることが可能である。
（ｂ）  切り花を生ける円筒状切り花保持具が傾いているため、側面にいる人が見ても、花を斜め上方から見たような角度で見ることが可能であり、花で最も美しく飾ることが可能である。
（ｃ）  花を挿入する円筒状切り花保持具が漏斗状となっているため、誰でも生けることが可能であり、作業者が異なってもほぼ同一の状態に生けることが可能となり、熟練した技能者でなくとも均一の状態に生けることが可能となる。
（ｄ）  花を挿入する円筒状切り花保持具の位置が固定されているため、決められた場所に切り花を挿入することで生けることが可能であり、作業者が異なっていてもほぼ同一の状態に生けることが可能である。
（ｅ）  使用する切り花の茎の長さが同じでも、壁全体にわたって切り花を飾ることが可能であり、切り花の茎の長さを調整する必要がなく、この面からも手間を省くことが可能となる。
【図面の簡単な説明】
【００１９】
【図１】切り花を生けた本考案の容器の断面図である。
【図２】切り花を生ける前の本考案の容器の斜視図である。
【図３】本考案の切り花を生けた容器を複数並べたときの断面図である。
【図４】切り花を挿入する円筒状切り花保持具の部分断面図である。
【符号の説明】
【００２０】
１    容器
２    水
３    円筒状切り花保持具
４    切り花
５    茎
６    切り花保持具固定用針金
７    葉
８   棚
９   プラスチック製樹木  
【図１】
0003102569.tif 000003
【図２】
0003102569.tif 000004
【図３】
0003102569.tif 000005
【図４】
0003102569.tif 000006